(57)【要約】【課題】      装着された充電対象物を充電する充電器において、充電対象物が装着されていない場合の消費電力を低減するとともに、その後、充電器に充電対象物が装着された場合には確実に充電対象物を充電可能な技術を提供する。【解決手段】  電源供給手段の動作が停止している場合にも動作可能な補助電源部２９０を備え、充電器２００に入力電源が接続されているものの、充電器２００に電池パック１００が接続されておらず電源供給手段の動作が停止している場合に、充電器２００に電池パック１００が接続されることを条件として、補助電源部２９０を用いて電源供給手段を動作させてＣＰＵ２７０に制御手段作動電圧を供給し、これによってＣＰＵ２７０は、電源供給手段を用いて電池パック１００に充電動作を行う。【選択図】    図１
2005237146.tif 000002
【特許請求の範囲】
【請求項１】
電源供給手段と制御手段とを備えた充電器につき、当該充電器に入力電源が接続されて前記電源供給手段が動作している場合に、前記電源供給手段は前記制御手段に制御手段作動電圧を供給し、これによって前記制御手段は、当該充電器に充電対象物が接続されていることを条件として前記電源供給手段を用いて前記充電対象物に充電動作を行う充電器であって、
前記電源供給手段の動作が停止している場合にも動作可能な補助電源部を備え、
当該充電器に前記入力電源が接続されているものの、当該充電器に前記充電対象物が接続されておらず前記電源供給手段の動作が停止している場合に、当該充電器に前記充電対象物が接続されることを条件として、前記補助電源部を用いて前記電源供給手段を動作させて前記制御手段に制御手段作動電圧を供給し、これによって前記制御手段は、前記電源供給手段を用いて前記充電対象物に充電動作を行う充電器。
【請求項２】
請求項１に記載の充電器であって、
当該充電器に前記入力電源が接続されてから所定の時間内に、当該充電器に前記充電対象物が接続されていない場合には、前記制御手段は前記電源供給手段の動作を停止し、これによって、前記制御手段への制御手段作動電圧の供給が停止して前記制御手段も動作を停止する充電器。
【請求項３】
電源供給手段と制御手段とを備えた充電器につき、当該充電器に入力電源が接続されて前記電源供給手段が動作している場合に、前記電源供給手段は前記制御手段に制御手段作動電圧を供給し、これによって前記制御手段は、当該充電器に接続されている充電対象物に前記電源供給手段を用いて充電動作を行う充電器であって、
前記充電対象物の充電完了を検出する充電完了検出手段を備え、
前記制御手段は、前記電源供給手段を用いて前記充電対象物に充電動作を行った結果、前記充電完了検出手段を用いて前記充電対象物の充電完了を検出した場合には、前記電源供給手段の動作を停止し、これによって、前記制御手段への制御手段作動電圧の供給が停止して前記制御手段も動作を停止する充電器。
【発明の詳細な説明】
【技術分野】
【０００１】
本発明は、充電対象物に充電動作を行う充電器において、充電対象物が接続されていない場合や充電対象物の充電が完了した場合の消費電力を低減する技術に関する。
【背景技術】
【０００２】
被充電装置が充電器に装着されていない場合の消費電力を低減した充電器の一例が、特開２００３−４７１６２号公報に開示されている（特許文献１参照）。この充電器では、被充電装置が装着されていない時には入力電源の供給回路を遮断している。すなわち、被充電装置を充電器に装着していない場合には、充電器に入力電源を接続してあっても、入力電源の供給回路が遮断されているので、充電器内の制御回路や被充電装置に充電を行う電源供給部には電源が供給されておらず動作していない。これにより、被充電装置を充電器に装着していない場合の充電器の消費電力を低減している。そして、被充電装置が充電器に装着されると、入力電源の供給回路が接続されて、充電器内の制御回路や被充電装置に充電を行う電源供給部に電源が供給され、制御回路や電源供給部が動作する。
【特許文献１】特開２００３−４７１６２号公報
【発明の開示】
【発明が解決しようとする課題】
【０００３】
このような充電器では、入力電源の供給回路に、入力電源と充電器内の制御回路や電源供給部との接続もしくは非接続を切り換えるリードスイッチを備えている。このリードスイッチは被充電装置が充電器に装着された場合に接続され（オン状態となり）、被充電装置が充電器から外された場合に遮断される（オフ状態となる）。ところが、このような機構的な接点を有するスイッチを採用すると、該スイッチは、接続もしくは非接続を繰り返すことによる接点の磨耗等によりスイッチが正常に動作することができなくなる場合があり、この場合、充電器に被充電装置が装着されても充電を行うことができない場合があった。
本発明は、かかる点に鑑みてなされたものであり、装着された充電対象物を充電する充電器において、充電対象物が装着されていない場合の消費電力を低減するとともに、その後、充電器に充電対象物が装着された場合には確実に充電対象物を充電可能な技術を提供することを目的とする。
【課題を解決するための手段】
【０００４】
上記課題を達成するため、各請求項記載の発明が構成される。
請求項１に記載の発明によれば、電源供給手段と、制御手段とを有する充電器が構成される。電源供給手段は充電器に入力電源が接続されると動作可能となり、電源供給手段が動作すると、電源供給手段は制御手段に制御手段作動電圧を供給する。これによって制御手段が動作すると、制御手段は、充電器に充電対象物が接続されていることを条件として電源供給手段を用いて充電対象物に充電動作を行う。
制御手段作動電圧とは制御手段に入力される電源電圧であり、一般的なＩＣの電源電圧である概ね５Ｖであることが好ましい。
電源供給手段は、制御手段に制御手段作動電圧を供給するとともに、充電対象物を充電することが可能であれば足りる。典型的には、電源供給手段は、充電器に入力電源としてＡＣ交流電源が接続されることにより、制御手段作動電圧を出力する電源と充電対象物に供給する充電用電源との２種類の直流電源を出力する直流安定化電源を有する構成であることが好ましい。直流安定化電源としては、種々の電源が用いられ得るが、特に、スイッチングレギュレータは比較的小型かつ大容量であることから、絶縁式、非絶縁式のスイッチングレギュレータを有する電源供給手段を構成するのが好ましい。
【０００５】
制御手段は、充電器に接続された充電対象物への充電を制御し、典型的には、ＣＰＵやＣＰＵが充電動作を実行するための制御プログラムが記憶されている記憶手段を有している。制御手段は、電源供給手段から制御手段作動電圧が供給されることで動作する。
充電対象物としては、充電器で充電可能な構成を広く包含する。典型的には、充電対象物は、充電器に装着することで接続され充電される電池パックとして構成される。電池パックには、一般的に二次電池が設けられていて、電池パックが充電器に装着されることで、この二次電池に前記した電源供給手段を用いて充電動作が行われる。電源供給手段はこの二次電池の充電に適した充電電流を供給するのが好ましい。
【０００６】
このような構成の充電器では、充電器に入力電源が接続されて充電対象物が充電器に接続されるのを待機している状態で、電源供給手段及び制御手段が動作していることにより、相応の消費電力が発生している。この間、例えば、電源供給手段にスイッチングレギュレータが設けられている場合には、該スイッチングレギュレータのスイッチング素子は、不要にスイッチングを繰り返しており消費電力の増加の要因となっている。
そこで、上記従来の技術において説明したように、入力電源を供給する回路と充電器内の制御回路や電源供給手段との接続もしくは非接続を切り換えるリードスイッチを備えた充電器が開示されているが、機構的な接点を有するスイッチに起因する充電器への影響を否めなかった。
【０００７】
そこで、本発明では、充電器に、電源供給手段が停止している場合にも動作可能な補助電源部を備えている。
補助電源部は、典型的には、電池、電源供給手段で予め充電されていたコンデンサ等の充電手段、被充電部材に設けられている二次電池等から適宜選択される。
そして、充電器に入力電源が接続されているものの、充電器に充電対象物が接続されておらず電源供給手段の動作が停止している場合に、充電器に充電対象物が接続されることを条件として、この補助電源部を用いて電源供給手段を動作させて制御手段に制御手段作動電圧を供給し、これによって制御手段は、電源供給手段を用いて充電対象物に充電動作を行う。
典型的には、充電器に充電対象物が接続されたことを検出する検出手段が設けられていて、充電器に入力電源が接続されてから所定の時間内に、充電器に充電対象物の接続が検出されない場合には電源供給手段の動作を停止し、消費電力を低減させる。本発明の充電器は、このように充電器に入力電源が接続されているにもかかわらず、動作を停止している電源供給手段を、検出手段により充電対象物の接続を検出することで、電源供給手段とは独立して存在する補助電源部を用いて再び動作させる。
【０００８】
補助電源部を用いて動作を停止している電源供給手段を動作させる構成としては種々の回路構成が考えられるが、例えば、前記した検出手段が設けられており、検出手段で充電対象物を検出したら検出信号が出力される構成とし、この検出信号の出力に基づいて電源供給手段を動作させるような構成とする。
これにより、充電器に入力電源が接続されているものの充電対象物が接続されていない場合には、電源供給手段の動作を停止させることができ（以降、充電器の「休止状態」と称呼する。）、これによって充電器に充電対象物が装着されていない場合の消費電力を低減することができる。また、充電対象物が装着されると、補助電源部を用いて電気的手段によって動作を停止している電源供給手段を動作させることができるので、電源供給手段を動作させるための機構的なスイッチ等は不要となり、再び確実に電源供給手段を動作させることができる。したがって、充電器に充電対象物が装着されていない場合の消費電力を低減しつつ、充電器の信頼性を良好に確保することができる。
【０００９】
（請求項２に記載の発明）
請求項２に記載の発明によれば、充電器に入力電源が接続されてから所定の時間内に充電対象物が接続されない場合には、制御手段電源供給手段の動作を停止し、これによって、制御手段への制御手段作動電圧の供給が停止して制御手段も動作を停止する。
「所定の時間内」という記載の「所定の時間」は、典型的には、充電器に入力電源が接続されてから充電器に充電対象物が装着されるべき時間に所定の余裕を持たせた値を、予め、制御手段が有する前記した記憶手段に記憶させておく。
本発明の充電器には、好適には前記した充電対象物の検出手段が設けられていて、検出手段から所定の時間を経過しても検出信号が出力されなかった場合に、制御手段が電源供給手段の動作を停止する。制御手段は電源供給手段により制御手段作動電圧が供給されているので、これによって、制御手段自身も動作を停止する。
本発明によれば、充電器に入力電源が接続されていても所定の時間を経過しても充電対象物が接続されないと、自動的に電源供給手段と制御手段の動作が停止されるので、利便性が向上するとともに確実に消費電力を低減することができる。
【００１０】
（請求項３に記載の発明）
請求項３に記載の発明によれば、電源供給手段と、制御手段とを有する充電器が構成される。電源供給手段は充電器に入力電源が接続されると動作可能となり、電源供給手段が動作すると、電源供給手段は制御手段に制御手段作動電圧を供給する。これによって制御手段が動作すると、制御手段は、充電器に充電対象物が接続されていることを条件として電源供給手段を用いて充電対象物に充電動作を行う。
【００１１】
このような構成の充電器では、充電器に入力電源が接続されて充電対象物に充電動作を行った結果、充電対象物の充電が完了した状態で、電源供給手段及び制御手段が動作していることにより、相応の消費電力が発生している。
そこで、本発明では、充電器に、充電対象物の充電完了を検出する充電完了検出手段を備えている。
本発明の「充電完了検出手段」は、本発明の充電器が充電動作を行う充電対象物の充電完了を検出可能であれば足りる。例えば、充電末期に充電対象物が示す電圧値が充電時のピーク値から所定値（数ｍＶ〜数十ｍＶ程度）低下する時点で充電完了を検出する方式（一般的に、−ΔＶ方式と称呼されている。）や、充電対象物の温度上昇に基いて充電完了を検出する方式、タイマーにより計測した充電時間に基づいて充電完了を検出する方式等、種々の方式で充電完了を検出する検出手段を広く包含する。また、充電が概ね完了したら充電対象物にトリクル充電が行われる場合には、トリクル充電完了後を充電完了時として検出する場合をも包含する。
そして、制御手段は、電源供給手段を用いて充電対象物に充電動作を行った結果、充電完了検出手段を用いて前記充電対象物の充電完了を検出した場合には、電源供給手段の動作を停止し、これによって、制御手段への制御手段作動電圧の供給が停止して制御手段も動作を停止する。
本発明の「充電対象物の充電完了」という記載は、充電が概ね完了したら充電対象物にトリクル充電が行われる場合には、トリクル充電完了後をもって「充電対象物の充電完了」とする場合をも好適に包含する。
本発明によれば、充電器に入力電源が接続されて充電対象物に充電動作を行った結果、充電対象物の充電が完了した状態で、自動的に電源供給手段と制御手段の動作が停止されるので、確実に消費電力を低減することができる。
【発明の効果】
【００１２】
本発明によれば、入力電源が接続されるとともに充電対象物が接続されると、充電対象物に電源を供給して充電を行う充電器において、充電対象物が接続されていない場合や充電が完了した場合の消費電力を低減するのに資する技術が提供されることとなった。
【発明を実施するための最良の形態】
【００１３】
（第１の実施の形態）
以下に、本発明を実施するための最良の形態の一例につき、図１〜図７を参照しつつ説明する。本実施の形態では、一例として、絶縁方式のスイッチングレギュレータを有する充電器２００を用いて電池パック１００を充電する場合について説明する。
本実施の形態に係る充電器２００の構成を図１のブロック図で模式的に示す。また、図１では充電器２００に装着して充電する電池パック１００の構成も併せて示す。そして、図２には、特に、後述する入力電源電圧検出部２２０、電源制御部２３０、バッテリ・温度検出部２８０、補助電源・ラッチ部２９０について、その具体的な回路構成の一例を示した充電器２００の構成を示す。また、図３では、充電器２００に入力電源を接続した場合の充電器２００の動作をタイミングチャート図で示す。さらに、図４、図５には、補助電源・ラッチ部２９０の他の回路構成の例を示し、図６、図７では、バッテリ・温度検出部２８０の他の回路構成の例を示す。
【００１４】
まず、図１を用いて本実施の形態の充電器２００で充電する電池パック１００の構成を概括的に説明する。
電池パック１００は、組電池１１０を備え、組電池１１０のプラス側端子は端子ＴＥ１に、マイナス側の端子は端子ＴＥ２に接続されている。そして、充電器２００の充電用端子（端子ＴＥ１１，ＴＥ１２）がＴＥ１，ＴＥ２に接続されることにより組電池１１０は充電可能となる。
また、組電池１１０のマイナス側端子には、組電池１１０に直列にサーモスタットＴＨの一端が接続されている。サーモスタットＴＨの他端は端子ＴＥ３に接続されている。また、組電池１１０のマイナス側端子には、組電池１１０に直列にサーミスタＴＭの一端が接続されている。サーミスタＴＭの他端は端子ＴＥ４に接続されている。サーミスタＴＭの本体は、組電池１１０の近傍の所定の位置に配置されている。このサーモスタットＴＨやサーミスタＴＭにより、電池パック１００は充電器２００に組電池１１０の温度指標を出力可能な構成となっている。
【００１５】
このように構成された電池パック１００を充電する充電器２００では、ＡＣ入力電源を、電池パック１００に充電電流を供給する充電用電源と、充電器２００内のＩＣ等に供給する制御用電源Ｖｃｃに変換する。充電器２００には、上記した動作を実施するための部品、回路構成、及びＡＣ入力電源と接続可能な端子ＳＥ１１，ＳＥ１２、電池パック１００の対応する端子に接続可能な端子ＴＥ１１，ＴＥ１２，ＴＥ１４が実装されたプリント基板を有する。また、充電器２００は、図示省略しているものの上記したプリント基板等が収容される筺体を備え、電池パック１００を充電器２００に着脱可能な構成となっている。なお、この筺体により、端子ＴＥ１１，ＴＥ１２，ＴＥ１４は筺体の外部に配置されるように、プリント基板が収容される。そして、ＡＣ入力電源が端子ＳＥ１１，ＳＥ１２に接続され、電池パック１００が充電器２００に装着されると、電池パック１００の端子ＴＥ１，ＴＥ２，ＴＥ４が、対応する充電器２００の端子ＴＥ１１，ＴＥ１２，ＴＥ１４に接続されて、充電器２００を用いて電池パック１００を充電可能な状態となる。
電池パック１００は、本発明の「充電対象物」に対応する要素である。
また、制御用電源Ｖｃｃは、本発明の「制御手段作動電圧」を供給する要素である。
【００１６】
図１に示すように、トランスＴを有する絶縁方式のスイッチングレギュレータを備えた充電器２００では、トランスＴの１次側と２次側に、それぞれの部品や回路構成が設けられている。ここで、トランスＴの１次側と２次側の回路構成は絶縁されている。例えば、各部品や各回路構成の接地につき、１次側では接地ＳＧに、２次側では接地ＦＧに接続されておりプリント基板の接地パターンが分割されている。これにより、電池パック１００の筺体の外部に配置されている充電用端子ＴＥ１１，ＴＥ１２，ＴＥ１４は、トランスＴの１次側から絶縁されている。
【００１７】
そこで、先ず、トランスＴの１次側の構成について説明する。
トランスＴの１次側には、ＡＣ入力電源が接続される電源入力端子ＳＥ１１，１２が設けられている。電源入力端子ＳＥ１１，１２は、ヒューズを介して整流・平滑回路２１０に接続されている。これにより、ＡＣ入力電源は、整流・平滑回路２１０で整流・平滑され、直流電源に変換される。
【００１８】
また、整流平滑回路２１０の出力側には入力電源電圧検出部２２０が設けられている。ここでは、整流・平滑部２１０によって出力された直流電源が所定のレベルに達したか否かを判別している。所定のレベルに達したことを判別した場合には、後述する電源制御部２３０に「初期起動信号」を出力する。
この入力電源電圧検出部２２０については、詳細な構成を後述する。
【００１９】
電源制御部２３０は、「初期起動信号」を検出することにより動作を開始する。電源制御部２３０は、トランスＴの２次側に所望の充電電流を供給可能な充電用電源が出力されるように、電源供給スイッチング素子ＦＥＴ１のオン時間（デューティー比）を決定し、電源供給スイッチング素子ＦＥＴ１のスイッチングによる高周波電源の巻線Ｔ１への出力を制御する。
この電源制御部２３０については、詳細な構成を後述する。
【００２０】
そして、トランスＴの２次側では、トランスＴで一次側の巻線Ｔ１に供給された高周波電源から変換されて巻線Ｔ３に出力された高周波電源を、整流・平滑部２６０で整流平滑し、充電用電源として後述する電池パック１００に端子ＴＥ１１，１２を介して出力する。また、トランスＴで一次側の巻線Ｔ１に供給された高周波電源から変換されて巻線Ｔ４に出力された高周波電源が、整流・平滑部２４０で整流平滑され、制御用電源回路２５０に入力される。これにより、制御用電源回路２５０は、概ね５Ｖの制御手段作動電圧を供給する制御用電源Ｖｃｃを出力する。この制御用電源Ｖｃｃは、充電器２００内のＩＣ等の部品に供給される。
電源制御部２３０、及び電源供給スイッチング素子ＦＥＴ１、及びトランスＴ、及び整流・平滑回路２４０、及び制御用電源回路２５０、及び整流・平滑回路２６０は、本発明の「電源供給手段」に対応する要素である。
【００２１】
トランスの２次側に設けられたＣＰＵ２７０は、制御用電源Ｖｃｃが供給されて動作を開始し、特に図示していないが、予め記憶されている充電動作を実行するための制御プログラムに基づいて、フォトカプラＯＰに所定のタイミングで「第１起動許可信号」を出力する。これにより、フォトカプラＯＰの投光部が導通し、フォトカプラＯＰがオン状態となり受光部が導通し、電源制御部２３０に「起動信号」を出力する。
フォトカプラＯＰの投光部の接地はトランスＴの２次側と同様に接地ＦＧに、受光部側はトランスＴの１次側と同様の接地ＳＧに接続されている。フォトカプラＯＰを用いることで、トランスＴの１次側と２次側の回路構成を絶縁しながらも、トランスの２次側のＣＰＵ２７０から出力される「第１起動許可信号」により、受光部から「起動信号」を電源制御部２３０に出力して電源制御部２３０を動作させることができる。
前述した「初期起動信号」が入力電源電圧検出部２２０から出力されている期間は、充電器２００がＡＣ入力電源に接続された後所定の期間のみであり、ＣＰＵ２７０が動作開始すると、「初期起動信号」に替わりフォトカプラＯＰから出力される「起動信号」によって電源制御部２３０が動作状態にされる。
これにより、充電器２００は電池パック１００を充電可能な定常状態となり、電池パック１００が充電器２００に装着されるのを待機する。
ＣＰＵ２７０が本発明の「制御手段」に対応する要素である。
【００２２】
そして、トランスＴの２次側には、バッテリ・温度検出部２８０が設けられている。
バッテリ・温度検出部２８０は、充電器２００に電池パック１００が装着されたら、後述する補助電源・ラッチ部２９０の補助電源Ｖｄｄを用いて、補助電源・ラッチ部２９０に「バッテリ検出信号」を出力可能な構成となっている。また、制御用電源Ｖｃｃを用いて、ＣＰＵ２７０に電池パック１００から出力された組電池１１０の温度指標を示す信号（図１では、ＢＡＴ信号と表されている。）を出力可能な構成となっている。
このバッテリ・温度検出部２８０については、詳細な構成を後述する。
【００２３】
ＣＰＵ２７０では、該ＢＡＴ信号の検出により、電池パック１００が充電器２００に装着されているか否かを監視している。そして、ＣＰＵ２７０は、予め設定された時間内に電池パック１００が充電器２００に装着されなければ、前記した「第１起動許可信号」の出力を停止する。これにより、フォトカプラＯＰはオフ状態となり、「起動信号」の出力が停止され、電源制御部２３０の動作が停止される。そして、充電用電源及び制御用電源Ｖｃｃの出力が停止されるので、ＣＰＵ２７０も動作を停止する。
このようにして、充電器２００にＡＣ入力電源が接続されていても、充電器２００を休止状態とすることができる。
【００２４】
本発明の充電器２００では、さらに、補助電源・ラッチ部２９０を備えている。補助電源・ラッチ部２９０は、電源制御部２３０が非動作状態であっても用いることができる独立した補助電源Ｖｄｄ（後述する電池等）を有している。これにより、前述したような充電器２００の休止状態であっても、補助電源・ラッチ部２９０は補助電源Ｖｄｄを供給する動作が可能な構成となっている。補助電源・ラッチ部２９０は、バッテリ・温度検出部２８０に接続されており、充電器２００が休止状態の時に補助電源Ｖｄｄを用いてバッテリ・温度検出部２８０から出力された「バッテリ検出信号」を検出すると、フォトカプラＯＰに「第２起動許可信号」を出力する。
これにより、ＣＰＵ２７０から「第１起動許可信号」が出力された場合と同様に、フォトカプラＯＰの受光部側から「起動信号」が出力され、再び電源制御部２３０が動作を開始する。
このようにして、充電器２００の休止状態では、電源制御部２３０及びＣＰＵ２７０とも非動作状態にして消費電力を低減することができるとともに、休止状態で電池パック１００が装着されたことを検出したら補助電源・ラッチ部２９０の補助電源Ｖｄｄを用いて電源制御部２３０の動作を確実に再開することができる。
この補助電源・ラッチ部２９０については、詳細な構成を後述する。
【００２５】
次に、図３のタイミングチャート図を用いて充電器２００にＡＣ入力電源を接続した場合の充電器２００の動作を説明するにあたり、図１に示したブロック図の各要素のうち、一部の要素を一層詳細に記載した図２の回路図について、先ず説明する。図２に示す回路図中の（ａ）部〜（ｆ）部の信号が、図３のタイミングチャート図の（ａ）部〜（ｆ）部に示す信号波形に対応する。
【００２６】
図２に示すように、入力電源電圧検出部２２０は、入力電源電圧検出回路２２１と、ｎｐｎ型のトランジスタ２２２を備えている。入力電源電圧検出回路２２１はトランジスタ２２２のベースと接続されている。また、トランジスタ２２２のエミッタは接地され（接地ＳＧに接続され）、コレクタは電源制御部２３０に接続されている。このトランジスタ２２３のコレクタにより前記した「初期起動信号」を電源制御部２３０に出力可能な構成となっている。
【００２７】
また、電源制御部２３０は、制御部２３１と、ｎｐｎ型のトランジスタ２３２と、巻線Ｔ２と、整流平滑回路２３３と、抵抗やコンデンサ等を備えている。トランジスタ２３２のベースは、入力電源電圧検出部２２０のトランジスタ２２２のコレクタと、及び後述するフォトカプラＯＰの受光部側フォトトランジスタのコレクタと接続されている。トランジスタ２３２のコレクタは、制御部２３１の動作／非動作切換端子に接続されている。ここで、制御部２３１の動作／非動作切換端子は、“Ｈ”レベルで制御部２３１の動作状態、“Ｌ”レベルで制御部２３１の非動作状態を選択するものとする。
また、制御部２３１は、電源供給スイッチング素子ＦＥＴ１のゲートに接続されている。これにより、電源制御部２３０は、電源供給スイッチング素子ＦＥＴ１をオン／オフ制御可能な構成となっている。電源制御部２３０は、トランスＴの２次側に所望の充電用電流を供給する充電用電源が出力されるように、電源供給スイッチング素子ＦＥＴ１のオン時間（デューティー比）を決定し、電源供給スイッチング素子ＦＥＴ１のスイッチングによる高周波電源の巻線Ｔ１への出力を制御する。また、制御部２３１は、整流・平滑回路２３３を介してトランスＴの巻線Ｔ２に接続されている。この接続線は、整流・平滑回路２１０の出力である直流電源Ｖｉｎに起動抵抗を介して接続されている。この起動抵抗によって、直流電源Ｖｉｎが分圧された直流電源を、直流電源Ｖｉｎ２と称する。直流電源Ｖｉｎ２は、トランジスタ２３２のベースに抵抗を介して接続され、また、前記したトランジスタ２２２のコレクタに抵抗を介して接続され、トランジスタ２３２及びトランジスタ２２２をオン／オフさせる場合に用いられる。
このように、電源制御部２３０は、入力電源電圧検出部２２０から「初期起動信号」が入力されるか、フォトカプラＯＰの受光部側から「起動信号」が入力されるかのいずれかによりトランジスタ２３２がオン状態となり、各電源を供給する動作状態となる。
【００２８】
また、バッテリ・温度検出部２８０は、トリガ出力回路２８２と、カソードが端子ＴＥ１４に接続されたダイオード２８３を備えている。ダイオード２８３のアノードは、抵抗２８１を介して制御用電源Ｖｃｃに接続されている。また、ダイオード２８３のアノードは、ＣＰＵ２７０のＡ／Ｄ端子に接続されている。ダイオード２８３のカソードは、トリガ出力回路２８２の一端に接続されている。トリガ出力回路２８２の他端は、補助電源・ラッチ部２９０に接続されている。このトリガ出力回路２８２は、補助電源Ｖｄｄを用いて、補助電源・ラッチ部２９０に「バッテリ検出信号」を出力可能な構成となっている。
また、バッテリ・温度検出部２８０に制御用電源Ｖｃｃが供給されている際には、バッテリ・温度検出部２８０は、ＣＰＵ２７０のＡ／Ｄ端子に電池パック１００の電池の温度指標を示す「ＢＡＴ信号」を出力可能な構成となっている。具体的には、充電器２００に電池パック１００が接続され、充電器２００の端子ＴＥ１４と電池パック１００の端子ＴＥ４が接続されると、制御用電源Ｖｃｃ→抵抗２８１→ダイオード２８３→端子ＴＥ１４→端子ＴＥ４→サーミスタＴＭ→端子ＴＥ２→端子ＴＥ１２→接地ＦＧに電流が流れる。サーミスタＴＭは、電池パック１００の組電池１１０の近傍に配設されており、サーミスタＴＭがＮＴＣサーミスタであれば、温度上昇に伴ってインピーダンス値が低下する特性を有している。すなわち、上記した回路を流れる電流値は、組電池１１０が高温になるとインピーダンス値が低下して大きくなる。これが、ＣＰＵ２７０のＡ／Ｄ端子に該「ＢＡＴ信号」として出力され、ＣＰＵ２７０は、「ＢＡＴ信号」に基づいて組電池１１０の温度が高温であるか否か、また、充電がほぼ完了した事を示す所定の温度以上であるか否かを検出することができる。このようにして、組電池１１０の温度が高温である場合や組電池１１０の充電が完了した場合には、ＣＰＵ２７０は、電源制御部２３０の動作を停止して充電動作を停止することができるが、本実施の形態では、さらに、「ＢＡＴ信号」を単に電池パック１００が充電器２００に装着されたか否かを判別するための信号としても用いている。
本実施の形態の、上記した「ＢＡＴ信号」を出力する構成、及びＣＰＵ２７０で「ＢＡＴ信号」に基づいて充電完了を検出する所定の処理は、本発明の「充電完了検出手段」に対応する。
【００２９】
補助電源・ラッチ部２９０は、電池２９１とラッチ回路２９２を備えている。電池２９１のプラス端子はラッチ回路２９２に接続され、マイナス端子は接地されている（接地ＦＧに接続されている）。ラッチ回路２９２は、バッテリ・温度検出部２８０のトリガ出力回路２８２と接続されている。また、抵抗を介してフォトカプラＯＰの投光部側発光ダイオードのアノードと接続されている。また、後述するＣＰＵ２７０のラッチリセット用の出力端子と接続されている。この構成により、ラッチ回路２９２にバッテリ検出信号が入力されると、これをトリガとして、ラッチ回路２９２は補助電源Ｖｄｄの“Ｈ”レベルをラッチし、「第２起動許可信号」としてフォトカプラＯＰの投光部側発光ダイオードに出力する。このラッチ出力は、ＣＰＵ２７０により所定のタイミングでリセットされる。
【００３０】
次に、前述した図２に示す回路図を参照しつつ、図３のタイミングチャート図を用いて充電器２００にＡＣ入力電源を接続した場合の充電器２００の動作を説明する。
このように構成された充電器２００につき、ＡＣ入力電源をＳＥ１１，１２に接続すると、前述したように、整流・平滑回路２１０でＡＣ入力電源が整流・平滑され、直流電源Ｖｉｎが立ち上がる。直流電源Ｖｉｎは、図３に示すように、これを必要とする充電器２００の要素に適切な所定の電圧レベルに達するまで時間遅れがある。そこで、入力電源電圧検出部２２０の入力電源電圧検出回路２２１で直流電源Ｖｉｎが所定のレベル（図３に示す電圧値Ｖｓ）に達したか否かを判別する。入力電源電圧検出回路２２１は、直流電源Ｖｉｎが所定のレベルに達していれば、図３に示す時刻ｔ１で、所定の“Ｈ”レベル信号をトランジスタ２２２のベースに出力する（併せて図２に示す（ａ）部参照）。
【００３１】
トランジスタ２２２のコレクタは、電源制御部２３０のトランジスタ２３２のベースに接続されており、トランジスタ２３２のベースは、直流電源Ｖｉｎを起動抵抗で分圧した直流電源Ｖｉｎ２でプルアップされているので、入力電源電圧検出部２２０のトランジスタ２２２がオン状態となり（「初期起動信号」）、電源制御部２３０のトランジスタ２３２がオフ状態となり、時刻ｔ２で、制御部２３１の動作／非動作切換端子（併せて図２に示す（ｂ）部参照）では、“Ｈ”レベルが確定する。すなわち、入力電源電圧検出回路２２１の出力信号の立ち上がりから所定の遅れ時間を伴い、図３に示す時刻ｔ２で制御部２３１が動作状態となる。
【００３２】
そして、制御部２３１は、時刻ｔ３で、予め記憶されている制御プログラムに基づいて所定のデューティー比で電源供給スイッチング素子ＦＥＴ１をオン／オフ制御する（併せて図２に示す（ｃ）部参照）。また、制御用電源Ｖｃｃに変換するために直流電源Ｖｉｎ２の巻線Ｔ２への出力を制御する。
電源供給スイッチング素子ＦＥＴ１を用いて巻線Ｔ１に出力された高周波電源は、トランスＴで変換されて巻線Ｔ３に出力される。そして、変換された高周波電源は整流・平滑部２６０で整流平滑化され、充電用電源とし電池パック１００への充電電流を端子ＴＥ１１，ＴＥ１２に出力される。また、巻線Ｔ１に出力された高周波電源は、トランスＴで変換されて巻線Ｔ４に出力される。そして、変換された高周波電源は整流・平滑部２４０で整流平滑化され、制御用電源回路２５０に出力され、制御用電源回路２５０で充電器２００のＩＣ等の各部品に供給される制御用電源Ｖｃｃに変換される（併せて図２に示す（ｄ）部参照）。すなわち、時刻ｔ４で、概ね５Ｖの制御手段作動用電圧を出力する制御用電源が立ち上がることとなる。
【００３３】
これにより、ＣＰＵ２７０に、制御用電源Ｖｃｃが供給され、ＣＰＵ２７０が動作を開始する。ＣＰＵ２７０は、予め記憶されているプログラムに基づき、動作が開始された後時刻ｔ５で、「第１起動許可信号」を出力する（併せて図２に示す（ｅ）部参照）。「第１起動許可信号」はフォトカプラＯＰの投光部側発光ダイオードに出力され、これによりフォトカプラＯＰがオン状態となる。フォトカプラＯＰの受光部側トランジスタのコレクタは、電源制御部２３０のトランジスタ２３２のベースに接続されており、トランジスタ２３２のベースは直流電源Ｖｉｎ２でプルアップされているので、フォトカプラＯＰの受光部側トランジスタが導通し（「起動信号」）、これにより電源制御部２３０のトランジスタ２３２がオフし、時刻ｔ６で、制御部２３１の動作／非動作切換端子（併せて図２に示す（ｂ）部参照）では、“Ｈ”レベルが確定する。すなわち、ＣＰＵ２７０から「第１起動許可信号」が出力されてから所定の遅れ時間を伴い、時刻ｔ６で制御部２３１の動作状態が継続可能となる。入力電源電圧検出部２２０の「初期起動信号」は、時刻ｔ６までは、出力されている（所定期間“Ｈ”レベルを維持している。）必要があるが、図３に示すように、時刻ｔ６が経過した後には、所定時間経過後に入力電源電圧検出部２２０でその出力が停止される。
【００３４】
これにより、時刻ｔ２〜ｔ６までの間は、入力電源電圧検出部２２２の出力による「初期起動信号」により制御部２３１が動作され各電源が供給される。そして、時刻ｔ６以降は、ＣＰＵ２７０の「第１起動許可信号」の出力による「起動信号」により制御部２３１が動作され各電源が供給される。このようにして、充電器２００は、電池パック１００を充電可能な状態となり電池パック１００が装着されるのを待機している。
【００３５】
しかしながら、電池パック１００が所定の時間を経過しても充電器２００に装着されない場合、すなわち、バッテリ・温度検出部２８０から出力される「ＢＡＴ信号」が所定の時間を経過しても検出されない場合には、ＣＰＵ２７０は、「第１起動許可信号」の出力を停止する（図３に示す時刻ｔ７）。これにより、フォトカプラＯＰはオフ状態となり、トランジスタ２３２はオン状態となり、制御部２３１の動作／非動作切換端子は“Ｌ”レベルに確定され、制御部２３１は非動作状態となる。
これにより、時刻ｔ８で、電源供給スイッチング素子ＦＥＴ１のスイッチング動作が停止されて巻線Ｔ１に電源が供給されなくなる。また、巻線Ｔ２，Ｔ３，Ｔ４にも電源が供給されなくなり、時刻ｔ９でトランスＴで変換されて出力されていた充電用電源及び制御用電源Ｖｃｃともに出力が停止され、充電器２００は休止状態となる。
【００３６】
このような充電器２００の休止状態につき、充電器２００に電池パック１００が装着された場合、図３に示す時刻ｔ１０で、バッテリ・温度検出部２８０から補助電源・ラッチ部２９０に「バッテリ検出信号」が出力される。
補助電源・ラッチ部２９０のラッチ回路２９２は、「バッテリ検出信号」の立ち下がりをトリガとして、補助電源Ｖｄｄから出力される“Ｈ”レベルをラッチアップするとともに、時刻ｔ１１で、フォトカプラＯＰの投光部側に「第２起動許可信号」を出力する。これにより、ＣＰＵ２７０から「第１起動許可信号」が出力されていた期間（図３に示す時刻ｔ５〜ｔ７）と同様にして、制御部２３１が動作状態となり、充電用電源及び制御用電源Ｖｃｃが立ち上がる。
そして、制御用電源ＶｃｃがＣＰＵ２７０に供給されると、再び、ＣＰＵ２７０から「第１起動許可信号」が出力され、制御部２３１の動作を継続可能な状態となる。
ＣＰＵ２７０が動作を開始し、「第１起動許可信号」が出力されれば、「第２起動許可信号」は充電動作時には不要となるので、ＣＰＵ２７０は、時刻ｔ１２で、ラッチ回路２９２のラッチをリセットする。
これにより、補助電源部・ラッチ部２９０の電池２９１の不要な放電を防止することができる。
【００３７】
このようにして、充電器２００を用いて電池パック１００が充電された結果、時刻ｔ１３で、充電完了検出手段で電池パック１００の充電がほぼ完了したことが判別されれば（例えば、「ＢＡＴ信号」により組電池１１０の温度が所定の温度以上であることが判別されれば）、時刻ｔ１３から時刻ｔ１４の期間に、電池パック１００にトリクル充電を実施する。トリクル充電を行う時間は、多くは、予め充電器２００に記憶されている。そして、所定の時間が経過してトリクル充電が終了した際に、時刻ｔ１４で、ＣＰＵ２７０は、「第１起動許可信号」の出力を停止する。これにより、フォトカプラＯＰはオフ状態となり、トランジスタ２３２はオン状態となり、制御部２３１の動作／非動作切換端子は“Ｌ”レベルに確定され、制御部２３１は非動作状態となる。
これにより、時刻ｔ１５で、電源供給スイッチング素子ＦＥＴ１のスイッチング動作が停止されて巻線Ｔ１に電源が供給されなくなる。また、巻線Ｔ２，Ｔ３，Ｔ４にも電源が供給されなくなり、時刻ｔ１６でトランスＴで変換されて出力されていた充電用電源及び制御用電源Ｖｃｃともに出力が停止され、充電器２００は休止状態となる。
【００３８】
また、補助電源・ラッチ部２９０は、図４、図５に示すような構成としてもよい。
図４では、制御用電源Ｖｃｃが出力されている間にコンデンサＣｓを充電しておく。これにより、コンデンサＣｓを補助電源Ｖｄｄとして用いることができる。補助電源Ｖｄｄには、必要に応じて電圧低下検出回路を接続し、ＣＰＵ２７０で監視できるような構成としてもよい。コンデンサＣｓとしては、電気二重層コンデンサ、電解コンデンサ等から適宜選択して用いられる。
【００３９】
図５では、充電器２００に接続する電池パック１００の組電池１１０を補助電源Ｖｄｄとして用いている。電池パック１００自身は要充電状態であっても、組電池１１０には、本発明の補助電源Ｖｄｄとして必要な程度の残容量は残存している場合には、このような構成が可能となる。
【００４０】
また、バッテリ・温度検出部２８０は、図６、図７に示すような構成としてもよい。
図６では、充電器２００の端子ＴＥ１３に、抵抗を介してトリガ出力回路２８２及びダイオード２８３のカソードを接続する。ダイオード２８３のアノードは、抵抗を介して補助電源Ｖｃｃでプルアップされるとともに、ＣＰＵ２７０の所定の入力端子（ＩＮＰＵＴ端子）に接続されている。
これにより、充電器２００に電池パック１００が装着されると、充電器２００の端子ＴＥ１３と電池パック１００の端子ＴＥ３が接続され、充電器２００の補助電Ｖｃｃ→抵抗→ダイオード２８３→端子ＴＥ１３→端子ＴＥ３→サーモスタットＴＨ→端子ＴＥ２→端子ＴＥ１２→接地ＦＧに電流が流れる。これは、ＣＰＵ２７０のＩＮＰＵＴ端子に「ＢＡＴ信号」として出力される。サーモスタットＴＨは、電池パック１００の組電池１１０に直列に配設されており、組電池１１０が所定の温度以上になると接続が切断する特性を有している。すなわち、上記した回路は、組電池１１０が高温になるとサーモスタットＴＨが開放状態となり遮断される。そこで、ＣＰＵ２７０は、電池パック１００が接続されたことにより検出されていた「ＢＡＴ信号」が検出されなくなると、組電池１１０が高温であることを検出することができる。このようにして、組電池１１０の温度が高温であれば、ＣＰＵ２７０は、電源制御部２３０の動作を停止して充電動作を停止することができるが、ここでは、さらに、「ＢＡＴ信号」を単に電池パック１００が充電器２００に装着されたか否かを判別する判別信号としても用いている。電池パック１００を充電器２００に装着した時点では、組電池１１０が高温ではないので、電池パック１００が装着されれば、バッテリ・温度検出部２８０は「ＢＡＴ信号」を出力する。
【００４１】
また、図７では、電池パック１００が充電器２００に接続されたら、電池パック１００の組電池１１０によって、トランジスタＴｓをオン状態とする。そして、該トランジスタＴｓの出力をトリガ出力回路２８２に出力している。電池パック１００自身は要充電状態であっても、組電池１１０は、トランジスタＴｓをオン状態とする程度の残容量が残存している場合には、このような構成が可能となる。
【００４２】
このようにして、充電器２００では、入力電源が接続されてから所定の時間内に電池パック１００が装着されなければ、充電器２００内の電源制御部２３０及びＣＰＵ２７０の動作を停止して休止状態となり、休止状態で充電器１００が装着されたことを検出すると、補助電源・ラッチ部２９０を用いて電源制御部２３０を動作させることでＣＰＵ２７０の動作が再開される。
これにより、入力電源が接続されているものの電池パック１００が装着されていない場合の充電器２００の消費電力が低減されるとともに、電池パック１００が充電器２００に装着された場合には、再び確実に電源制御部２３０とＣＰＵ２７０を動作させることができる。また、電池パック１００の充電が完了した場合の充電器２００の消費電力が低減される。
【００４３】
（第２の実施の形態）
次に、図８を参照しつつ第２の実施の形態を説明する。本実施の形態では、一例として、非絶縁方式のスイッチングレギュレータを有する充電器３００について説明する。
本実施の形態に係る充電器３００の構成を図８のブロック図で模式的に示す。図中で第１の実施の形態と実質的に同じ要素については、図１と同じ符号を付してある。
充電器３００では、ＡＣ入力電源を、電池パック１００に充電電流を供給する充電用電源と、充電器３００内のＩＣ等に供給する制御用電源Ｖｃｃに変換する。
充電器３００には、上記した動作を実施するための部品、回路構成、及びＡＣ入力電源と接続可能な端子ＳＥ１１，ＳＥ１２、電池パック１００の対応する端子に接続可能な端子ＴＥ１１、ＴＥ１２，ＴＥ１４が実装されたプリント基板を有する。充電器３００は、第１の実施の形態で説明した充電器２００と、このプリント基板上の要素が相違するが、該プリント基板が収容される筐体が設けられている構成については、充電器２００と同様とする。
【００４４】
図８に示すように、充電器３００には、ＡＣ入力電源が接続される電源入力端子ＳＥ１１，１２が設けられている。電源入力端子ＳＥ１１，１２は、ヒューズを介して整流・平滑回路２１０に接続されている。これにより、ＡＣ入力電源は、整流・平滑回路２１０で整流・平滑され、直流電源に変換される。
また、ＡＣ入力電源を２個のダイオードにより全波整流した波形の電源が、電源出力部３２０に入力される。電源出力部３２０はこれにより、起動電源Ｖｉｎ３と制御用電源Ｖｃｃを出力する。起動電源Ｖｉｎ３は、スイッチング制御部３３０に供給される。スイッチング制御部３３０は、起動電源Ｖｉｎ３が供給されることにより動作を開始する。スイッチング制御部３３０は、所望の充電用電源が出力されるように、電源供給スイッチング素子ＦＥＴ１のオン時間（デューティー比）を決定し、これに基づいて電源供給スイッチング素子ＦＥＴ１をオン／オフ制御する。
【００４５】
また、電源出力部３２０から出力された制御用電源Ｖｃｃは、充電器３００内の各ＩＣ等に電源を供給する。これによりＣＰＵ２７０が動作を開始し、スイッチング素子ＳＷに「第１起動許可信号」を出力する。これによりスイッチング素子ＳＷはオン状態となり、電源出力部３２０に「起動信号」を出力する。これにより、充電器３００が電池パック１００を充電可能な定常状態となり、電池パック１００が充電器３００に装着されるのを待機する。
【００４６】
また、充電器３００には、バッテリ・温度検出部２８０が設けられている。そして、第１の実施の形態と同様、バッテリ・温度検出部２８０が出力する「ＢＡＴ信号」を用いて、ＣＰＵ２７０で、所定の時間内に電池パック１００が充電器３００に装着されなければ、前記した「第１起動許可信号」の出力を停止する。これにより、充電器３００にＡＣ入力電源が接続されていても、充電器３００を休止状態として消費電力を低減させる事ができる。
【００４７】
本発明の充電器３００では、さらに、第１の実施の形態と同様、補助電源・ラッチ部２９０を備えているので、充電器３００が休止状態にあっても、補助電源・ラッチ部２９０は、バッテリ・温度検出部２８０から出力された「バッテリ検出信号」を検出するとスイッチング素子ＳＷに「第２起動許可信号」を出力する。
これにより、ＣＰＵ２７０から「第１起動許可信号」が出力された場合と同様に、スイッチング素子ＳＷから電源出力部３２０に「起動信号」が出力され、再び電源制御部２３０に起動電源Ｖｉｎ３と制御用電源Ｖｃｃが出力され其々動作を開始する。
そして、電池パック１００が充電器３００に装着されると、コイルＬ１に蓄えられた充電用電源が電池パック１００に端子ＴＥ１１，ＴＥ１２を介して出力される。また、スイッチング制御部３３０は、抵抗Ｒ１の両端で充電電流を監視しつつ電源供給用スイッチング素子ＦＥＴ１をオン／オフ制御する。
このようにして、非絶縁方式のスイッチングレギュレータを有する充電器３００においても、充電器３００の休止状態では、電源出力部３２０及びＣＰＵ２７０とも非動作状態にして消費電力を低減することができるとともに、休止状態において電池パック１００が装着されたことを検出したら補助電源・ラッチ部２９０を用いて電源出力部３２０の動作を確実に再開することができる。
【００４８】
なお、実施の形態では、充電器２００，３００は、電池パック１００に設けられたサーミスタＴＭの出力信号（「ＢＡＴ信号」）に基づいて電池パック１００の組電池１１０の充電がほぼ完了したか否かを検出したが、充電の完了を検出する方法としては、種々の方法が用いられる。例えば、ＣＰＵ２７０は、組電池１１０がニッケル系の電池セルで構成されている場合には、いわゆる「−ΔＶ方式」を用いて充電完了を検出する構成としてもよい。また、ＣＰＵ２７０は、タイマーにより計測した、充電開始時からの経過時間を用いて充電完了を検出する構成としてもよい。また、電池パック１００から充電完了を示す信号が出力される場合には、該信号がＣＰＵ２７０に入力されることにより充電完了を検出する構成としてもよい。
【００４９】
また、本実施の形態では、電池パック１００の組電池１１０の充電がほぼ完了したことを検出した場合に、所定時間のトリクル充電を実施し、所定時間が終了したらトリクル充電を終了し、電源供給スイッチング素子ＦＥＴ１のスイッチングやＣＰＵ２７０の動作を停止したが、トリクル充電を行わない場合には、組電池１１０の充電完了を検出したら直ちに、ＦＥＴ１のスイッチングやＣＰＵ２７０の動作を停止してもよい。
【００５０】
本発明の趣旨に鑑み、以下の態様を構成することができる。
（態様１）
「請求項１〜３のいずれかに記載の充電器であって、
さらに、入力電源切換手段を備え、
充電器に前記入力電源が接続されているものの、前記入力電源切換手段がオフ状態であることで、前記電源供給手段の動作が停止している場合に、前記充電対象物が接続されたら、前記補助電源部を用いて前記入力電源切換手段をオン状態にするとともに、前記電源供給手段を動作させて前記制御手段に制御手段作動電圧を供給し、これによって前記制御手段は、前記電源供給手段を用いて前記充電対象物に充電動作を行う充電器。」
【００５１】
この態様において、入力電源切換手段は、典型的には、リレースイッチであり、前述した第１の実施の形態で「第２起動許可信号」が出力されるとオン状態となり、ＡＣ入力電源が回路に接続される構成とする。
例えば、充電器２００の場合には、フォトカプラＯＰにもう１個フォトカプラを並列接続し、このフォトカプラで前記したリレースイッチをオン状態とする回路を動作させる。
これにより、充電器の休止状態では、ＡＣ入力電源も遮断されているので、整流・平滑回路を用いて不要に直流電源に変換し続けることもない。したがって、休止状態では充電器を構成するほぼ全ての部品に電流が流れておらず、一層、休止状態の消費電力を低減させることができる。
【００５２】
（態様２）
「請求項１、２、態様１のいずれかに記載の充電器であって、
前記充電対象物の充電完了を検出する充電完了検出手段を備え、
前記制御手段は、前記電源供給手段を用いて前記充電対象物に充電動作を行った結果、前記充電完了検出手段を用いて前記充電対象物の充電完了を検出した場合には、前記電源供給手段の動作を停止し、これによって、前記制御手段への制御手段作動電圧の供給が停止して前記制御手段も動作を停止する充電器。」
【００５３】
本発明によれば、充電器に入力電源が接続されていても所定の時間を経過しても充電対象物が接続されない場合に加え、充電器に入力電源が接続されて充電対象物に充電動作を行った結果、充電対象物の充電が完了した場合にも、自動的に電源供給手段と制御手段の動作が停止されるので、利便性が向上するとともに確実に消費電力を低減することができる。
【図面の簡単な説明】
【００５４】
【図１】第１の実施の形態における充電器２００と、充電器２００で充電する電池パック１００の構成をブロック図で示す。
【図２】充電器２００の詳細な構成を回路図で示す。
【図３】充電器２００にＡＣ入力電源を接続した場合の動作をタイミングチャート図で示す。
【図４】補助電源・ラッチ部２９０の他の構成例を示す。
【図５】補助電源・ラッチ部２９０の他の構成例を示す。
【図６】バッテリ・温度検出部２８０の他の構成例を示す。
【図７】バッテリ・温度検出部２８０の他の構成例を示す。
【図８】第２の実施の形態における充電器３００と、充電器３００で充電する電池パック１００の構成をブロック図で示す。
【符号の説明】
【００５５】
１００  電池パック
１１０  組電池
２００，３００  充電器
２２０  入力電源電圧検出部
２３０  電源制御部
２８０  バッテリ・温度検出部
２９０  補助電源・ラッチ部
ＦＥＴ１  電源供給スイッチング素子
ＦＧ，ＳＧ  接地
ＯＰ  フォトカプラ
ＳＷ  スイッチング素子
Ｖｃｃ  制御用電源
Ｖｄｄ  補助電源
Ｖｉｎ，Ｖｉｎ２  直流電源
Ｖｉｎ３  起動電源
【図１】
2005237146.tif 000003
【図２】
2005237146.tif 000004
【図３】
2005237146.tif 000005
【図４】
2005237146.tif 000006
【図５】
2005237146.tif 000007
【図６】
2005237146.tif 000008
【図７】
2005237146.tif 000009
【図８】
2005237146.tif 000010